(57)【要約】【課題】所望のγ特性からの逸脱が生じる虞を出来る限り少なくし得るカラー液晶表示装置組立体の駆動方法を提供する。【解決手段】カラー液晶表示装置組立体の駆動方法にあっては、表示領域ユニットにおける駆動信号の最大値ｘU-max(R,G,B)に等しい値を有する駆動信号に相当する制御信号が各副画素に供給されたと想定したときの画素の輝度が得られるように、この表示領域ユニットに対応する面状光源ユニットの輝度を増減させ、且つ、表示領域ユニットに対応する面状光源ユニットの輝度の増減に応じて、表示領域ユニットの各画素を構成する副画素のそれぞれに供給される制御信号の値を補正し、以て、各画素におけるγ特性を所望の特性に近づける。【選択図】  図１
2007212782.tif 000002
【特許請求の範囲】
【請求項１】
（Ａ）２次元マトリクス状に配列された画素から構成された表示領域がＰ×Ｑ個の表示領域ユニットに分割されて成り、各表示領域ユニットは複数の画素から構成されているカラー液晶表示装置、
（Ｂ）Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、
（Ｃ）面状光源装置を駆動するための第１駆動回路、及び、
（Ｄ）カラー液晶表示装置を駆動するための第２駆動回路、
を備え、
各画素は、赤色発光副画素、緑色発光副画素、及び、青色発光副画素の３つの副画素を１組として構成され、
第２駆動回路から、各画素を構成する赤色発光副画素、緑色発光副画素、及び、青色発光副画素のそれぞれに、赤色発光副画素の光透過率を制御する赤色発光制御信号、緑色発光副画素の光透過率を制御する緑色発光制御信号、及び、青色発光副画素の光透過率を制御する青色発光制御信号を供給する、カラー液晶表示装置組立体の駆動方法であって、
各画素を構成する赤色発光副画素、緑色発光副画素、及び、青色発光副画素のそれぞれを駆動するために第１駆動回路に入力される赤色発光副画素駆動信号の値ｘR、緑色発光副画素駆動信号の値ｘG、及び、青色発光副画素駆動信号の値ｘBの最大値をｘmaxとし、
面状光源ユニットのそれぞれにおいて、各表示領域ユニットを構成する全ての画素における赤色発光副画素、緑色発光副画素、及び、青色発光副画素を駆動するために第１駆動回路に入力される赤色発光副画素駆動信号の値ｘR、緑色発光副画素駆動信号の値ｘG、及び、青色発光副画素駆動信号の値ｘBの内の最大値ｘU-max(R,G,B)に等しい値を有する赤色発光副画素駆動信号、緑色発光副画素駆動信号、及び、青色発光副画素駆動信号に相当する赤色発光制御信号、緑色発光制御信号、及び、青色発光制御信号が、赤色発光副画素、緑色発光副画素、及び、青色発光副画素に供給されたと想定したときの画素の輝度が得られるように、該表示領域ユニットに対応する面状光源ユニットの輝度を、第１駆動回路の制御下、増減させ、
該表示領域ユニットに対応する面状光源ユニットの輝度の増減に応じて、第２駆動回路に入力される赤色発光副画素駆動信号の値、緑色発光副画素駆動信号の値、及び、青色発光副画素駆動信号の値を第１駆動回路において補正し、第２駆動回路に入力された補正された赤色発光副画素駆動信号、補正された緑色発光副画素駆動信号、及び、補正された青色発光副画素駆動信号に相当する赤色発光制御信号、緑色発光制御信号、及び、青色発光制御信号を、赤色発光副画素、緑色発光副画素、及び、青色発光副画素に供給し、以て、各画素における輝度特性を所望の特性に近づけることを特徴とするカラー液晶表示装置組立体の駆動方法。
【請求項２】
面状光源ユニットの輝度の増減は、面状光源ユニット輝度制御関数に基づき行われ、
赤色発光副画素の輝度は、面状光源ユニット輝度制御関数と赤色発光副画素駆動信号の補正値ｘR_Mとの積に基づき得られ、
緑色発光副画素の輝度は、面状光源ユニット輝度制御関数と緑色発光副画素駆動信号の補正値ｘG_Mとの積に基づき得られ、
青色発光副画素の輝度は、面状光源ユニット輝度制御関数と青色発光副画素駆動信号の補正値ｘB_Mとの積に基づき得られることを特徴とする請求項１に記載のカラー液晶表示装置組立体の駆動方法。
【請求項３】
ｘnol-max≡ｘU-max(R,G,B)／ｘmax
としたとき、面状光源ユニット輝度制御関数ｇ（ｘnol-max）は、
ｇ（ｘnol-max）＝ａ1・（ｘnol-max）2.2＋ａ0    （１）
（但し、ａ1，ａ0は定数であり、ａ1＋ａ0＝１，０＜ａ0＜１，０＜ａ1＜１）
で表されることを特徴とする請求項２に記載のカラー液晶表示装置組立体の駆動方法。
【請求項４】
ｃ1_R・ｘR2.2＋ｃ0_R
＝（ａ1・（ｘnol-max）2.2＋ａ0）（ｂ1_R・ｘR_M2.2＋ｂ0_R）    （２−１）
ｃ1_G・ｘG2.2＋ｃ0_G
＝（ａ1・（ｘnol-max）2.2＋ａ0）（ｂ1_G・ｘG_M2.2＋ｂ0_G）    （２−２）
ｃ1_B・ｘB2.2＋ｃ0_B
＝（ａ1・（ｘnol-max）2.2＋ａ0）（ｂ1_B・ｘB_M2.2＋ｂ0_B）    （２−３）
（但し、ｂ1_R，ｂ0_R，ｃ1_R，ｃ0_R、ｂ1_G，ｂ0_G，ｃ1_G，ｃ0_G、ｂ1_B，ｂ0_B，ｃ1_B，ｃ0_Bは定数）
を満足することを特徴とする請求項３に記載のカラー液晶表示装置組立体の駆動方法。
【請求項５】
面状光源ユニットは、発光ダイオードから成り、
面状光源ユニットの輝度の増減を、面状光源ユニットを構成する発光ダイオードのパルス幅変調制御におけるデューティ期間の長短制御によって行うことを特徴とする請求項１に記載のカラー液晶表示装置組立体の駆動方法。
【請求項６】
各表示領域ユニットにおいて、該表示領域ユニットを構成するいずれかの画素における赤色発光副画素、緑色発光副画素、及び、青色発光副画素のそれぞれを駆動するために第１駆動回路に入力される、赤色発光副画素駆動信号の値ｘR、緑色発光副画素駆動信号の値ｘG、及び、青色発光副画素駆動信号の値ｘBが、同時に、
ｘR≧ｋ1・ｘmax    （３−１）
ｘG≧ｋ1・ｘmax    （３−２）
ｘB≧ｋ1・ｘmax    （３−３）
（但し、ｋ1は、０．９４≦ｋ1≦０．９９の範囲内の係数）
を満足する場合には、
ｘU-ave(R,G,B)＝（ｘR＋ｘG＋ｘB）／３＋ｋ0・ｘmax    （４）
（但し、ｋ0は、０．０６≦ｋ0≦０．３の範囲内の係数）
に等しい値を有する赤色発光副画素駆動信号、緑色発光副画素駆動信号、及び、青色発光副画素駆動信号に相当する赤色発光制御信号、緑色発光制御信号、及び、青色発光制御信号が、赤色発光副画素、緑色発光副画素、及び、青色発光副画素に供給されたと想定したときの画素の輝度が得られるように、該表示領域ユニットに対応する面状光源ユニットの輝度を、第１駆動回路の制御下、増加させることを特徴とする請求項４に記載のカラー液晶表示装置組立体の駆動方法。
【請求項７】
面状光源ユニットは、発光ダイオードから成り、
面状光源ユニットの輝度の増減を、面状光源ユニットを構成する発光ダイオードのパルス幅変調制御におけるデューティ期間の長短制御によって行うことを特徴とする請求項６に記載のカラー液晶表示装置組立体の駆動方法。
【請求項８】
ｘU-ave(R,G,B)＝（１＋ｋ0）ｘmax    （５）
に等しい値を有する赤色発光副画素駆動信号、緑色発光副画素駆動信号、及び、青色発光副画素駆動信号に相当する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ0は、最大デューティ期間をＤmaxとしたとき、
Ｄ0＝α0・Ｄmax    （６）
（但し、α0は、０．９５≦α0≦１．０の範囲内の係数）
であることを特徴とする請求項７に記載のカラー液晶表示装置組立体の駆動方法。
【請求項９】
ｋ1・ｘmaxに等しい値を有する赤色発光副画素駆動信号、緑色発光副画素駆動信号、及び、青色発光副画素駆動信号に相当する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ1は、最大デューティ期間をＤmaxとしたとき、
Ｄ1＝α1・Ｄmax    （７）
（但し、α1は、０．３≦α1≦０．８の範囲内の係数）
を満足することを特徴とする請求項７に記載のカラー液晶表示装置組立体の駆動方法。
【請求項１０】
ｘU-max(R,G,B)≦ｋ2・ｘmax    （８）
（但し、ｋ2は、０．３５≦ｋ2≦０．５の範囲内の係数）
である場合、ｋ2・ｘmaxに等しい値を有する赤色発光副画素駆動信号、緑色発光副画素駆動信号、及び、青色発光副画素駆動信号に相当する赤色発光制御信号、緑色発光制御信号、及び、青色発光制御信号が、赤色発光副画素、緑色発光副画素、及び、青色発光副画素に供給されたと想定したときの画素の輝度が得られるように、表示領域ユニットに対応する面状光源ユニットの輝度を、第１駆動回路の制御下、増加させることを特徴とする請求項５又は請求項７に記載のカラー液晶表示装置組立体の駆動方法。
【請求項１１】
ｋ2・ｘmaxに等しい値を有する赤色発光副画素駆動信号、緑色発光副画素駆動信号、及び、青色発光副画素駆動信号に相当する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ2は、最大デューティ期間をＤmaxとしたとき、
Ｄ2＝α2・Ｄmax    （９）
（但し、α2は、０．０１≦α2≦０．２の範囲内の係数）
を満足することを特徴とする請求項１０に記載のカラー液晶表示装置組立体の駆動方法。
【発明の詳細な説明】
【技術分野】
【０００１】
本発明は、カラー液晶表示装置と面状光源装置とを備えたカラー液晶表示装置組立体の駆動方法に関する。
【背景技術】
【０００２】
カラー液晶表示装置にあっては、液晶それ自体は発光しない。従って、例えば、カラー液晶表示装置を照射する直下型の面状光源装置（バックライト）をカラー液晶表示装置の背面に配置する。そして、各画素を構成する液晶セルを、一種の光シャッター（ライト・バルブ）として動作させることによって、即ち、各画素の光透過率を制御することによって、面状光源装置から射出された光（例えば、白色光）の光透過率を制御し、画像を表示している。
【０００３】
従来、カラー液晶表示装置組立体における面状光源装置は、表示領域全体を、均一、且つ、一定の明るさで照明しているが、このような面状光源装置とは別の構成、即ち、複数の面状光源ユニットから構成され、カラー液晶表示装置の有する２次元マトリクス状に配列された画素から構成された表示領域における照度の分布を変化させる構成を有する面状光源装置が、例えば、特開２００４−２１２５０３や特開２００４−２４６１１７から周知である。
【０００４】
【特許文献１】特開２００４−２１２５０３
【特許文献２】特開２００４−２４６１１７
【非特許文献１】日経エレクトロニクス  ２００４年１２月２０日第８８９号の第１２８ページ
【発明の開示】
【発明が解決しようとする課題】
【０００５】
カラー液晶表示装置におけるコントラスト比（カラー液晶表示装置の画面表面における、外光反射等を含まない、全黒表示部と全白表示部の輝度比）は、各画素の光透過率を最大にした場合の光透過率と、最低にした場合の光透過率との比である。現状のカラー液晶表示装置にあっては、１０００対１程度のコントラスト比が達成できれば優秀なカラー液晶表示装置であると云われている。そして、コントラスト比を更に向上させるための一手段として、面状光源装置を構成する複数の面状光源ユニットにおける輝度を変化させることによって、カラー液晶表示装置の表示領域における輝度を変化させる方法を想定することができる。
【０００６】
ところで、例えば撮像管への入力光量をｙ0、撮像管からの出力信号であり、例えば放送局等から出力され、画素の光透過率を制御するためにカラー液晶表示装置に制御部に入力される駆動信号の値をｘ、係る駆動信号によって駆動される画素の輝度（表示輝度）をｙとしたとき、駆動信号の値ｘは、入力光量ｙ0の０．４５乗の関数で表すことができ、表示輝度ｙは駆動信号ｘの２．２乗の関数で表すことができる。尚、表示輝度ｙと駆動信号ｘの２．２乗の関数との関係は、γ（ガンマ）特性と呼ばれる。このγ特性を維持することは大変重要である。というのは、
ｙ＝ｘ2.2＝（ｙ00.45）2.2＝ｙ0
を満足する必要があるからである。このように、例えば撮像管で撮像された画像が画面上で正確に復元されるように、放送局から例えばテレビジョン受像機まで、あるいは又、ビデオ再生装置からテレビジョン受像機までのシステムが構築されている。
【０００７】
カラー液晶表示装置においてもこのγ特性を保持するような設計がなされているが、面状光源装置における輝度を変化させないことが大前提となっている。それ故、コントラスト比増加のために、もしも、面状光源装置を構成する複数の面状光源ユニットにおける輝度を変化させる方法を採用した場合、表示輝度特性を所望の特性（例えば、線形特性）に維持できなくなる虞がある。
【０００８】
従って、本発明の目的は、カラー液晶表示装置と面状光源装置とを備えたカラー液晶表示装置組立体において、高いコントラスト比を得るために面状光源装置を構成する複数の面状光源ユニットにおける輝度（光強度）を制御する（変化させる）方法を採用した場合であっても、画素の輝度特性を所望の特性（例えば、線形特性）に出来る限り維持し得るカラー液晶表示装置組立体の駆動方法を提供することにある。
【課題を解決するための手段】
【０００９】
上記の目的を達成するための本発明のカラー液晶表示装置組立体の駆動方法は、
（Ａ）２次元マトリクス状に配列された画素から構成された表示領域がＰ×Ｑ個の表示領域ユニットに分割されて成り、各表示領域ユニットは複数の画素から構成されているカラー液晶表示装置、
（Ｂ）Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、
（Ｃ）面状光源装置を駆動するための第１駆動回路、及び、
（Ｄ）カラー液晶表示装置を駆動するための第２駆動回路、
を備え、
各画素は、赤色発光副画素、緑色発光副画素、及び、青色発光副画素の３つの副画素を１組として構成され、
第２駆動回路から、各画素を構成する赤色発光副画素、緑色発光副画素、及び、青色発光副画素のそれぞれに、赤色発光副画素の光透過率を制御する赤色発光制御信号、緑色発光副画素の光透過率を制御する緑色発光制御信号、及び、青色発光副画素の光透過率を制御する青色発光制御信号を供給する、カラー液晶表示装置組立体の駆動方法であって、
各画素を構成する赤色発光副画素、緑色発光副画素、及び、青色発光副画素のそれぞれを駆動するために第１駆動回路に入力される赤色発光副画素駆動信号の値ｘR、緑色発光副画素駆動信号の値ｘG、及び、青色発光副画素駆動信号の値ｘBの最大値をｘmaxとし、
面状光源ユニットのそれぞれにおいて、各表示領域ユニットを構成する全ての画素における赤色発光副画素、緑色発光副画素、及び、青色発光副画素を駆動するために第１駆動回路に入力される赤色発光副画素駆動信号の値ｘR、緑色発光副画素駆動信号の値ｘG、及び、青色発光副画素駆動信号の値ｘBの内の最大値ｘU-max(R,G,B)に等しい値を有する赤色発光副画素駆動信号、緑色発光副画素駆動信号、及び、青色発光副画素駆動信号に相当する赤色発光制御信号、緑色発光制御信号、及び、青色発光制御信号が、赤色発光副画素、緑色発光副画素、及び、青色発光副画素に供給されたと想定したときの画素の輝度が得られるように、該表示領域ユニットに対応する面状光源ユニットの輝度を、第１駆動回路の制御下、増減させ、
該表示領域ユニットに対応する面状光源ユニットの輝度の増減に応じて、第２駆動回路に入力される赤色発光副画素駆動信号の値、緑色発光副画素駆動信号の値、及び、青色発光副画素駆動信号の値を第１駆動回路において補正し、第２駆動回路に入力された補正された赤色発光副画素駆動信号、補正された緑色発光副画素駆動信号、及び、補正された青色発光副画素駆動信号に相当する赤色発光制御信号、緑色発光制御信号、及び、青色発光制御信号を、赤色発光副画素、緑色発光副画素、及び、青色発光副画素に供給し、以て、各画素における輝度特性を所望の特性に近づけることを特徴とする。
【００１０】
尚、以下、下記の用語を下記の略称にて呼ぶ場合がある。
【００１１】
赤色発光副画素
・・・『副画素［Ｒ］』
緑色発光副画素
・・・『副画素［Ｇ］』
青色発光副画素
・・・『副画素［Ｂ］』
赤色発光副画素、緑色発光副画素、及び、青色発光副画素
・・・これらを一括して纏めて呼ぶ場合、『画素［Ｒ，Ｇ，Ｂ］』
赤色発光制御信号
・・・『制御信号［Ｒ］』
緑色発光制御信号
・・・『制御信号［Ｇ］』
青色発光制御信号
・・・『制御信号［Ｂ］』
赤色発光制御信号、緑色発光制御信号、及び、青色発光制御信号
・・・これらを一括して纏めて呼ぶ場合、『制御信号［Ｒ，Ｇ，Ｂ］』
各画素を構成する赤色発光副画素、緑色発光副画素、及び、青色発光副画素のそれぞれを駆動するために第１駆動回路に入力される赤色発光副画素駆動信号の値ｘR、緑色発光副画素駆動信号の値ｘG、及び、青色発光副画素駆動信号の値ｘBの最大値ｘmax
・・・『駆動信号最大値ｘmax』
赤色発光副画素駆動信号
・・・『駆動信号［Ｒ］』
緑色発光副画素駆動信号
・・・『駆動信号［Ｇ］』
青色発光副画素駆動信号
・・・『駆動信号［Ｂ］』
赤色発光副画素駆動信号、緑色発光副画素駆動信号、及び、青色発光副画素駆動信号
・・・これらを一括して纏めて呼ぶ場合、『駆動信号［Ｒ，Ｇ，Ｂ］』
補正された赤色発光副画素駆動信号
・・・『補正駆動信号［Ｒ］』
補正された緑色発光副画素駆動信号
・・・『補正駆動信号［Ｇ］』
補正された青色発光副画素駆動信号
・・・『補正駆動信号［Ｂ］』
補正された赤色発光副画素駆動信号、緑色発光副画素駆動信号、及び、青色発光副画素駆動信号
・・・これらを一括して纏めて呼ぶ場合、『補正駆動信号［Ｒ，Ｇ，Ｂ］』
面状光源ユニットのそれぞれにおいて、各表示領域ユニットを構成する全ての画素における赤色発光副画素、緑色発光副画素、及び、青色発光副画素を駆動するために第１駆動回路に入力される赤色発光副画素駆動信号の値ｘR、緑色発光副画素駆動信号の値ｘG、及び、青色発光副画素駆動信号の値ｘBの内の最大値ｘU-max(R,G,B)
・・・『表示領域ユニット内−駆動信号最大値ｘU-max(R,G,B)』
表示領域ユニット内−駆動信号最大値ｘU-max(R,G,B)に等しい値を有する赤色発光副画素駆動信号に相当する赤色発光制御信号
・・・『表示領域ユニット内−最大制御信号［Ｒ］』
表示領域ユニット内−駆動信号最大値ｘU-max(R,G,B)に等しい値を有する緑色発光副画素駆動信号に相当する緑色発光制御信号
・・・『表示領域ユニット内−最大制御信号［Ｇ］』
表示領域ユニット内−駆動信号最大値ｘU-max(R,G,B)に等しい値を有する青色発光副画素駆動信号に相当する青色発光制御信号
・・・『表示領域ユニット内−最大制御信号［Ｂ］』
表示領域ユニット内−最大制御信号［Ｒ］、表示領域ユニット内−最大制御信号［Ｇ］、及び、表示領域ユニット内−最大制御信号［Ｂ］
・・・これらを一括して纏めて呼ぶ場合、『表示領域ユニット内−最大制御信号［Ｒ，Ｇ，Ｂ］
【００１２】
また、液晶セルにおける光透過率（開口率とも呼ばれる）Ｌｔ、及び、副画素における輝度（表示輝度）ｙを、以下のとおり、定義する。
【００１３】
面状光源ユニットの輝度  ・・・光源ユニット輝度
画素あるいは副画素の輝度・・・表示輝度
Ｌｔ1・・・表示領域ユニット内−駆動信号最大値ｘU-max(R,G,B)に等しい値を有する駆動信号に相当する制御信号が副画素に供給されたと想定したときの副画素を構成する液晶セルにおける光透過率（開口率）。０％≦Ｌｔ1≦１００％。
Ｌｔ3・・・ｘU-ave(R,G,B)に等しい値を有する駆動信号に相当する制御信号が副画素に供給されたと想定したときの副画素を構成する液晶セルにおける光透過率（開口率）。この光透過率（開口率）Ｌｔ3は、一種、仮想の値であり、１００％を越える値をとり得る。
Ｌｔ5・・・ｋ2・ｘmax以下であるｘU-max(R,G,B)に等しい値を有する駆動信号に相当する制御信号が副画素に供給されたと想定したときの副画素を構成する液晶セルにおける光透過率（開口率）。０％＜Ｌｔ5＜１００％。
Ｙmax・・・光源ユニット輝度の最高値。
ｙ1・・・・副画素を構成する液晶セルにおける光透過率（開口率）をＬｔ1とし、且つ、光源ユニット輝度を最高値Ｙmaxとしたと仮定したときに得られる表示輝度。
ｙ3・・・・副画素を構成する液晶セルにおける光透過率（開口率）をＬｔ3とし、且つ、光源ユニット輝度を最高値Ｙmaxとしたと仮定したときに得られる表示輝度。
ｙ5・・・・副画素を構成する液晶セルにおける光透過率（開口率）をＬｔ5とし、且つ、光源ユニット輝度を最高値Ｙmaxとしたと仮定したときに得られる表示輝度。
【００１４】
表示領域ユニット内−最大制御信号［Ｒ，Ｇ，Ｂ］が副画素［Ｒ，Ｇ，Ｂ］に供給されたと想定したときの表示輝度が得られるように光源ユニット輝度を増減させるが、具体的には、例えば、副画素を構成する液晶セルにおける光透過率（開口率）をＬｔ2（但し、Ｌｔ2＞Ｌｔ1であり、例えば、最大開口率である１００％）にしたと仮定したときに表示輝度ｙ1が得られるように、光源ユニット輝度Ｙ1を制御すればよい（減少させればよい）。即ち、例えば、
Ｌｔ2・Ｙ1＝Ｌｔ1・ｙ1
を満足するように、光源ユニット輝度Ｙ1を制御すればよい。尚、このような方法を、便宜上、面状光源ユニットの第１の輝度制御方法と呼ぶ。
【００１５】
本発明のカラー液晶表示装置組立体の駆動方法において、面状光源ユニットの輝度（光源ユニット輝度）の増減は、面状光源ユニット輝度制御関数に基づき行われ；副画素［Ｒ］の輝度（表示輝度）は、面状光源ユニット輝度制御関数と駆動信号［Ｒ］の補正値ｘR_Mとの積に基づき得られ；副画素［Ｇ］の輝度（表示輝度）は、面状光源ユニット輝度制御関数と駆動信号［Ｇ］の補正値ｘG_Mとの積に基づき得られ；副画素［Ｂ］の輝度（表示輝度）は、面状光源ユニット輝度制御関数と駆動信号［Ｂ］の補正値ｘB_Mとの積に基づき得られる構成とすることができる。そして、この場合、
ｘnol-max≡ｘU-max(R,G,B)／ｘmax
としたとき、面状光源ユニット輝度制御関数ｇ（ｘnol-max）は、
ｇ（ｘnol-max）＝ａ1・（ｘnol-max）2.2＋ａ0    （１）
（但し、ａ1，ａ0は定数であり、ａ1＋ａ0＝１，０＜ａ0＜１，０＜ａ1＜１）
で表すことができる。但し、面状光源ユニット輝度制御関数ｇ（ｘnol-max）は、上記の関数に限定するものではない。
【００１６】
そして、この場合、値ｘRを有する駆動信号［Ｒ］に相当する制御信号［Ｒ］が副画素［Ｒ］に供給されたと想定したときの表示輝度をｙR、値ｘGを有する駆動信号［Ｇ］に相当する制御信号［Ｇ］が副画素［Ｇ］に供給されたと想定したときの表示輝度をｙG、値ｘBを有する駆動信号［Ｂ］に相当する制御信号［Ｂ］が副画素［Ｂ］に供給されたと想定したときの表示輝度をｙBとしたとき、
ｙR＝ｃ1_R・ｘR2.2＋ｃ0_R
＝（ａ1・（ｘnol-max）2.2＋ａ0）（ｂ1_R・ｘR_M2.2＋ｂ0_R）    （２−１）
ｙG＝ｃ1_G・ｘG2.2＋ｃ0_G
＝（ａ1・（ｘnol-max）2.2＋ａ0）（ｂ1_G・ｘG_M2.2＋ｂ0_G）    （２−２）
ｙB＝ｃ1_B・ｘB2.2＋ｃ0_B
＝（ａ1・（ｘnol-max）2.2＋ａ0）（ｂ1_B・ｘB_M2.2＋ｂ0_B）    （２−３）
（但し、ｂ1_R，ｂ0_R，ｃ1_R，ｃ0_R、ｂ1_G，ｂ0_G，ｃ1_G，ｃ0_G、ｂ1_B，ｂ0_B，ｃ1_B，ｃ0_Bは定数）
を満足する形態とすることができる。
【００１７】
本発明のカラー液晶表示装置組立体の駆動方法において、面状光源ユニットは、発光ダイオード（ＬＥＤ）から成り；面状光源ユニットの輝度（光源ユニット輝度）の増減を、面状光源ユニットを構成する発光ダイオードのパルス幅変調制御におけるデューティ期間の長短制御によって行う構成とすることができる。また、ｘnol-maxの値の範囲として、０以上、１以下とすることができるし、ｘnol-maxの上限値を１未満の値とすることもできる。尚、前者の構成を、便宜上、本発明の第１の構成に係る駆動方法と呼ぶ場合がある。
【００１８】
あるいは又、上述した形態にあっては、各表示領域ユニットにおいて、該表示領域ユニットを構成するいずれかの画素における副画素［Ｒ，Ｇ，Ｂ］のそれぞれを駆動するために第１駆動回路に入力される駆動信号［Ｒ，Ｇ，Ｂ］の値ｘR，ｘG，ｘBが、同時に、
ｘR≧ｋ1・ｘmax    （３−１）
ｘG≧ｋ1・ｘmax    （３−２）
ｘB≧ｋ1・ｘmax    （３−３）
（但し、ｋ1は、０．９４≦ｋ1≦０．９９の範囲内の係数）
を満足する場合には、
ｘU-ave(R,G,B)＝（ｘR＋ｘG＋ｘB）／３＋ｋ0・ｘmax    （４）
（但し、ｋ0は、０．０６≦ｋ0≦０．３の範囲内の係数）
に等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの画素の輝度（表示輝度）が得られるように、該表示領域ユニットに対応する面状光源ユニットの輝度（光源ユニット輝度）を、第１駆動回路の制御下、増加させる構成とすることができる。尚、このような構成を、便宜上、本発明の第２の構成に係る駆動方法と呼ぶ場合がある。
【００１９】
このような本発明の第２の形態に係る駆動方法にあっては、白色表示画素（駆動信号［Ｒ，Ｇ，Ｂ］の値ｘR，ｘG，ｘBのいずれもが、駆動信号最大値ｘmaxのｋ1倍（ｋ1＜１）の値である上限閾値（ｋ1・ｘmax）以上である画素］を構成する副画素のそれぞれに、３つの駆動信号の値ｘR，ｘG，ｘBの平均値にバイアス（ｋ0・ｘmax）を加えた値に等しい値を有する駆動信号［Ｒ，Ｇ，Ｂ］に相当する制御信号が副画素［Ｒ，Ｇ，Ｂ］に供給されたと想定したときの表示輝度が得られるように光源ユニット輝度を増加させるので、係る白色表示画素を含む表示領域ユニットの輝度レベルを、他の表示領域ユニットの輝度レベルよりも上げることができ、陰極線管の白の輝きに類似した白の輝きを一層確実に達成することができる。
【００２０】
尚、ｘU-ave(R,G,B)に等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの表示輝度が得られるように光源ユニット輝度を増加させるが、具体的には、例えば、表示輝度ｙ3が得られるように光源ユニット輝度Ｙ3を増加させればよい。尚、このような方法を、便宜上、面状光源ユニットの第２の輝度制御方法と呼ぶ。この第２の輝度制御方法にあっては、光源ユニット輝度Ｙ3を増加させるが、ｘU-ave(R,G,B)の値の如何に拘わらず、増加させた光源ユニット輝度Ｙ3を一定とすればよい。より具体的には、光源ユニット輝度Ｙ3を最高値Ｙmaxとすればよい。あるいは又、各副画素を構成する液晶セルにおける光透過率（開口率）をＬｔ4（但し、Ｌｔ4＞Ｌｔ3であり、例えば、最大開口率である１００％）としたときに表示輝度ｙ3が得られるように光源ユニット輝度Ｙ3を増加させればよい。即ち、例えば、
Ｌｔ4・Ｙ3＝Ｌｔ3・ｙ3
を満足するように、光源ユニット輝度Ｙ3を制御すればよい。尚、このような方法を、便宜上、面状光源ユニットの第３の輝度制御方法と呼ぶ。この第３の輝度制御方法にあっても、面状光源ユニットの輝度を増加させるが、ｘU-ave(R,G,B)の値が増加するに従い、光源ユニット輝度を増加させる。
【００２１】
本発明の第２の構成に係る駆動方法において、面状光源ユニット内における式（３−１），（３−２），（３−３）を満足する画素の数は、１個でもよいし、限定するものではないが、１つの表示領域ユニットを構成する画素の数の例えば１％以上、２５％以下とすることもできる。尚、後者の場合、白色表示画素におけるｘU-ave(R,G,B)の平均値に等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの表示輝度が、例えば、面状光源ユニットの第２の輝度制御方法あるいは第３の輝度制御方法に基づき得られるように、表示領域ユニットに対応する面状光源ユニットの輝度を増加すればよい。
【００２２】
ここで、本発明の第２の形態に係る駆動方法において、面状光源ユニットは、発光ダイオード（ＬＥＤ）から成り；面状光源ユニットの輝度（光源ユニット輝度）の増減を、面状光源ユニットを構成する発光ダイオードのパルス幅変調制御におけるデューティ期間の長短制御によって行う構成とすることができる。そして、この場合、
ｘU-ave(R,G,B)＝（１＋ｋ0）ｘmax    （５）
に等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの画素の輝度（表示輝度）が、例えば、面状光源ユニットの第２の輝度制御方法あるいは第３の輝度制御方法に得られるようなデューティ期間Ｄ0は、最大デューティ期間をＤmaxとしたとき、
Ｄ0＝α0・Ｄmax    （６）
（但し、α0は、０．９５≦α0≦１．０の範囲内の係数）
であることが望ましい。また、ｋ1・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの画素の輝度（表示輝度）が、例えば、面状光源ユニットの第１の輝度制御方法に基づき得られるようなデューティ期間Ｄ1は、最大デューティ期間をＤmaxとしたとき、
Ｄ1＝α1・Ｄmax    （７）
（但し、α1は、０．３≦α1≦０．８の範囲内の係数）
を満足することが望ましい。
【００２３】
あるいは又、本発明の第２の形態に係る駆動方法を含む本発明のカラー液晶表示装置組立体の駆動方法において、面状光源ユニットを発光ダイオード（ＬＥＤ）から構成し、面状光源ユニットの輝度（光源ユニット輝度）の増減を、面状光源ユニットを構成する発光ダイオードのパルス幅変調制御におけるデューティ期間の長短制御によって行う構成とするとき、
ｘU-max(R,G,B)≦ｋ2・ｘmax    （８）
（但し、ｋ2は、０．３５≦ｋ2≦０．５の範囲内の係数）
である場合、ｋ2・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの画素の輝度（表示輝度）が、例えば、面状光源ユニットの第４の輝度制御方法に基づき得られるように、表示領域ユニットに対応する面状光源ユニットの輝度を、第１駆動回路の制御下、増加させることが好ましい。式（８）を設定するといった上述の構成にすることで、各画素における輝度特性を線形特性に近づけ、コントラスト比を増加させつつ、画質が変質することを回避することができる。尚、ｋ1とｋ2との関係として、
０．３５≦ｋ2／ｋ1≦０．５３
を例示することができる。また、ｋ2・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの画素の輝度（表示輝度）が、例えば、面状光源ユニットの第４の輝度制御方法に基づき得られるようなデューティ期間Ｄ2は、最大デューティ期間をＤmaxとしたとき、
Ｄ2＝α2・Ｄmax    （９）
（但し、α2は、０．０１≦α2≦０．２の範囲内の係数）
を満足することが望ましい。尚、カラー液晶表示装置それ自体のコントラスト比が１０3：１であるとき、α2＝０．２ならば、コントラスト比は５×１０3：１に改善されるし、α2＝０．０１ならば、コントラスト比は１０5：１に改善される。
【００２４】
ここで、面状光源ユニットの第４の輝度制御方法とは、具体的には、表示輝度ｙ5が得られるように光源ユニット輝度を増加させる方法である。この第４の輝度制御方法にあっては、光源ユニット輝度Ｙ5を増加させるが、ｘU-ave(R,G,B)の値の如何に拘わらず、増加させた光源ユニット輝度Ｙ5を一定とすればよい。より具体的には、光源ユニット輝度Ｙ5を、ｋ2・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの表示輝度が得られるような面状光源ユニットの輝度とすればよい。
【００２５】
以上に説明した種々の好ましい形態、構成を含む本発明のカラー液晶表示装置組立体の駆動方法（以下、単に、本発明と略称する場合がある）においては、種々の値ｘR，ｘG，ｘB（但し、ｘR＝ｘG＝ｘB）を有する駆動信号に相当する制御信号［Ｒ，Ｇ，Ｂ］が副画素［Ｒ，Ｇ，Ｂ］に実際に供給されたときの画素の輝度（表示輝度）を得るための面状光源ユニットの輝度（光源ユニット輝度）の値やデューティ期間の値を、種々の試験を行い、予め求めておく。そして、これらの関係に基づいた種々のデータを第１駆動回路や第２駆動回路内に記憶させておくことが望ましい。また、ｘmax，ａ0，ａ1，ｂ0_R，ｂ1_R，ｃ0_R，ｃ1_R，ｂ0_G，ｂ1_G，ｃ0_G，ｃ1_G，ｂ0_B，ｂ1_B，ｃ0_B，ｃ1_B，ｋ0，ｋ1，ｋ2，α0，α1，α2，Ｄmax，Ｄ0，Ｄ1，Ｄ2といった種々のパラメータも、第１駆動回路や第２駆動回路内に記憶させておくことが望ましい。
【００２６】
面状光源装置にあっては、赤色（例えば、波長６４０ｎｍ）を発光する複数の赤色発光ダイオード、緑色（例えば、波長５３０ｎｍ）を発光する複数の緑色発光ダイオード、及び、青色（例えば、波長４５０ｎｍ）を発光する複数の青色発光ダイオードが、筐体内に配置、配列されている。尚、赤色、緑色、青色以外の第４番目の色を発光する発光ダイオードを更に備えていてもよい。あるいは又、白色発光ダイオード（例えば、紫外又は青色発光ダイオードと蛍光体粒子とを組み合わせて白色を発光する発光ダイオード）を用いることもできる。
【００２７】
そして、面状光源装置を構成する面状光源ユニットは、例えば、複数の発光ダイオードを仕切りで区分けすることで得ることができる。（１つの赤色発光ダイオード，１つの緑色発光ダイオード，１つの青色発光ダイオード）、（１つの赤色発光ダイオード，２つの緑色発光ダイオード，１つの青色発光ダイオード）、（２つの赤色発光ダイオード，２つの緑色発光ダイオード，１つの青色発光ダイオード）等の組合せから成り、全体として混色されて白色を発光する発光ダイオード・ユニットから面状光源ユニットが構成されていると想定した場合、１つの面状光源ユニットには、少なくとも１つの発光ダイオード・ユニットが備えられている。あるいは又、１つの面状光源ユニットには、少なくとも１つの白色発光ダイオードが備えられている。
【００２８】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に射出される構造としてもよいし、発光層からの光が基板を通過して外部に射出される構造としてもよい。より具体的には、発光ダイオード（ＬＥＤ）は、例えば、基板上に形成された第１導電型（例えばｎ型）を有する化合物半導体層から成る第１クラッド層、第１クラッド層上に形成された活性層、活性層上に形成された第２導電型（例えばｐ型）を有する化合物半導体層から成る第２クラッド層の積層構造を有し、第１クラッド層に電気的に接続された第１電極、及び、第２クラッド層に電気的に接続された第２電極を備えている。発光ダイオードを構成する層は、発光波長に依存して、周知の化合物半導体材料から構成すればよい。
【００２９】
或る面状光源ユニットにおける輝度（光源ユニット輝度）は、隣接する面状光源ユニットによって出来る限り影響を受けないようにすることが望ましい。具体的には、ランバーシアン方式のように、直進方向への光強度が強いレンズを発光ダイオードの光射出部分に取り付けてもよいし、面状光源ユニットと面状光源ユニットとの間に、面状光源ユニットの照明光に対して不透明な仕切りを配置してもよい。但し、或る面状光源ユニットにおける輝度（光源ユニット輝度）が、他の面状光源ユニットによって影響を受け得る構成としてもよい。
【００３０】
発光ダイオードから射出される光を上方に位置するカラー液晶表示装置に直接入射させる構成とした場合、即ち、発光ダイオードから専らｚ軸方向に沿って光を射出させた場合、面状光源装置に輝度ムラが発生してしまう場合がある。このような現象の発生を回避するための手段として、発光ダイオードに光取出しレンズを取り付けた発光ダイオード組立体を光源として使用し、発光ダイオードから射出された光が、光取出しレンズの頂面において全反射され、光取出しレンズの水平方向に主に射出される２次元方向射出構成を挙げることができる。このような構成は、例えば、日経エレクトロニクス  ２００４年１２月２０日第８８９号の第１２８ページに開示されている。
【００３１】
更には、面状光源装置は、拡散板、拡散シート、プリズムシート、偏光変換シートといった光学機能シート群や、反射シートを備えている構成とすることができる。
【００３２】
透過型のカラー液晶表示装置は、例えば、透明第１電極を備えたフロント・パネル、透明第２電極を備えたリア・パネル、及び、フロント・パネルとリア・パネルとの間に配された液晶材料から成る。
【００３３】
ここで、フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、フロント・パネルは、第１の基板の内面に、アクリル樹脂やエポキシ樹脂から成るオーバーコート層によって被覆されたカラーフィルターが設けられ、オーバーコート層上に透明第１電極が形成された構成を有している。透明第１電極上には配向膜が形成されている。カラーフィルターの配置パターンとして、デルタ配列、ストライプ配列、ダイアゴナル配列、レクタングル配列を挙げることができる。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００３４】
尚、透明第１電極と透明第２電極の重複領域であって液晶セルを含む領域が、１副画素（サブピクセル）に該当する。そして、各画素（ピクセル）を構成する副画素［Ｒ］は、係る領域と赤色を透過するカラーフィルターとの組合せから構成され、副画素［Ｇ］は、係る領域と緑色を透過するカラーフィルターとの組合せから構成され、副画素［Ｂ］は、係る領域と青色を透過するカラーフィルターとの組合せから構成されている。副画素［Ｒ］、副画素［Ｇ］及び副画素［Ｂ］の配置パターンは、上述したカラーフィルターの配置パターンと一致する。
【００３５】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。また、（Ｍ0，Ｎ0）の値と（Ｐ，Ｑ）の値との関係として、限定するものではないが、以下の表１に例示することができる。尚、１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００３６】
2007212782.tif 000003
【００３７】
面状光源装置を駆動するための第１駆動回路は、例えば、パルス幅変調（ＰＷＭ）信号発生回路、デューティ比制御回路、発光ダイオード（ＬＥＤ）駆動回路、演算回路、記憶装置（メモリ）等から構成することができる。また、カラー液晶表示装置を駆動するための第２駆動回路は、タイミングコントローラ等の周知の回路から構成されている。表示輝度及び光源ユニット輝度の制御は、１フレーム毎に行われる。尚、第１駆動回路に電気信号として１秒間に送られる画像情報の数（毎秒画像）がフレーム周波数（フレームレート）であり、フレーム周波数の逆数がフレーム時間（単位：秒）である。
【発明の効果】
【００３８】
本発明のカラー液晶表示装置組立体の駆動方法においては、表示領域ユニットにおける駆動信号の最大値ｘU-max(R,G,B)に等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの画素の輝度が得られるように、この表示領域ユニットに対応する面状光源ユニットの輝度（光強度）を増減させるので、高いコントラスト比を得ることができる。そして、表示領域ユニットに対応する面状光源ユニットの輝度の増減に応じて、第２駆動回路に入力される駆動信号［Ｒ，Ｇ，Ｂ］の値を補正し、以て、各画素における輝度特性を所望の特性（例えば、線形特性）に近づけるので、輝度特性を所望の特性（例えば、線形特性）に出来る限り維持し得るカラー液晶表示装置組立体の駆動方法を提供することができる。
【発明を実施するための最良の形態】
【００３９】
以下、図面を参照して、実施例に基づき本発明を説明するが、それに先立ち、各実施例において使用に適した透過型のカラー液晶表示装置、面状光源装置、第１駆動回路、第２駆動回路の概要を説明する。
【００４０】
図７に模式的な平面図を示すように、各実施例におけるカラー液晶表示装置１０は、第１の方向に沿ってＭ0個、第２の方向に沿ってＮ0個の、合計Ｍ0×Ｎ0個の画素が２次元マトリクス状に配列された表示領域がＰ×Ｑ個の表示領域ユニットに分割されて成り、各表示領域ユニットは複数の画素から構成されている。具体的には、例えば、画像表示用解像度としてＨＤ−ＴＶ規格を満たすものであり、２次元マトリクス状に配列された画素（ピクセル）の数Ｍ0×Ｎ0を（Ｍ0，Ｎ0）で表記したとき、例えば、（１９２０，１０８０）である。また、２次元マトリクス状に配列された画素から構成された表示領域１１（図７において、一点鎖線で示す）がＰ×Ｑ個の表示領域ユニット１２（境界を点線で示す）に分割されている。ここで、（Ｐ，Ｑ）の値は、例えば、（１９，１２）である。但し、図面の簡素化のため、図７における表示領域ユニット１２（及び、後述する面状光源ユニット４２）の数は、この値と異なる。各表示領域ユニット１２は複数（Ｍ×Ｎ）の画素から構成されており、１つの表示領域ユニット１２を構成する画素の数は、例えば、約１万である。また、各画素は、副画素［Ｒ，Ｇ，Ｂ］の３つの副画素（サブピクセル）から構成されている。
【００４１】
カラー液晶表示装置１０は、図８に模式的な一部断面図を示すように、透明第１電極２４を備えたフロント・パネル２０、透明第２電極３４を備えたリア・パネル３０、及び、フロント・パネル２０とリア・パネル３０との間に配された液晶材料１３から成る。
【００４２】
フロント・パネル２０は、例えば、ガラス基板から成る第１の基板２１と、第１の基板２１の外面に設けられた偏光フィルム２６とから構成されている。第１の基板２１の内面には、アクリル樹脂やエポキシ樹脂から成るオーバーコート層２３によって被覆されたカラーフィルター２２が設けられ、オーバーコート層２３上には、透明第１電極（共通電極とも呼ばれ、例えば、ＩＴＯから成る）２４が形成され、透明第１電極２４上には配向膜２５が形成されている。一方、リア・パネル３０は、より具体的には、例えば、ガラス基板から成る第２の基板３１と、第２の基板３１の内面に形成されたスイッチング素子（具体的には、薄膜トランジスタ、ＴＦＴ）３２と、スイッチング素子３２によって導通／非導通が制御される透明第２電極（画素電極とも呼ばれ、例えば、ＩＴＯから成る）３４と、第２の基板３１の外面に設けられた偏光フィルム３６とから構成されている。透明第２電極３４を含む全面には配向膜３５が形成されている。フロント・パネル２０とリア・パネル３０とは、それらの外周部で封止材（図示せず）を介して接合されている。尚、スイッチング素子３２は、ＴＦＴに限定されず、例えば、ＭＩＭ素子から構成することもできる。また、図面における参照番号３７は、スイッチング素子３２とスイッチング素子３２との間に設けられた絶縁層である。
【００４３】
尚、これらの透過型のカラー液晶表示装置を構成する各種の部材や、液晶材料は、周知の部材、材料から構成することができるので、詳細な説明は省略する。
【００４４】
直下型の面状光源装置（バックライト）４０は、Ｐ×Ｑ個の表示領域ユニット１２に対応したＰ×Ｑ個の面状光源ユニット４２から成り、各面状光源ユニット４２は、面状光源ユニット４２に対応する表示領域ユニット１２を背面から照明する。尚、カラー液晶表示装置１０の下方に面状光源装置４０が位置しているが、図７においては、カラー液晶表示装置１０と面状光源装置４０とを別々に表示した。面状光源装置における発光ダイオード等の配置、配列状態を図９の（Ａ）に模式的に示し、面状光源装置及びカラー液晶表示装置組立体の模式的な一部断面図を図９の（Ｂ）に示す。
【００４５】
面状光源装置４０は、外側フレーム５３と内側フレーム５４とを備えた筐体５１から構成されている。そして、透過型のカラー液晶表示装置１０の端部は、外側フレーム５３と内側フレーム５４とによって、スペーサ５５Ａ，５５Ｂを介して挟み込まれるように保持されている。また、外側フレーム５３と内側フレーム５４との間には、ガイド部材５６が配置されており、外側フレーム５３と内側フレーム５４とによって挟み込まれたカラー液晶表示装置１０がずれない構造となっている。筐体５１の内部であって上部には、拡散板６１が、スペーサ５５Ｃ、ブラケット部材５７を介して、内側フレーム５４に取り付けられている。また、拡散板６１の上には、拡散シート６２、プリズムシート６３、偏光変換シート６４といった光学機能シート群が積層されている。
【００４６】
筐体５１の内部であって下部には、反射シート６５が備えられている。ここで、この反射シート６５は、その反射面が拡散板６１と対向するように配置され、筐体５１の底面５２Ａに図示しない取付け用部材を介して取り付けられている。反射シート６５は、例えば、シート基材上に、銀反射膜、低屈折率膜、高屈折率膜を順に積層された構造を有する銀増反射膜から構成することができる。反射シート６５は、発光ダイオード４１から射出された光や、筐体５１の側面５２Ｂ、あるいは、図９の（Ａ）に示す仕切り板４３によって反射された光を反射する。こうして、赤色を発光する複数の赤色発光ダイオード４１Ｒ、緑色を発光する複数の緑色発光ダイオード４１Ｇ、及び、青色を発光する複数の青色発光ダイオード４１Ｂから射出された赤色、緑色及び青色が混色され、色純度の高い白色光を照明光として得ることができる。この照明光は、拡散板６１、拡散シート６２、プリズムシート６３、偏光変換シート６４といった光学機能シート群を通過し、カラー液晶表示装置１０を背面から照射する。
【００４７】
発光ダイオード４１Ｒ，４１Ｇ，４１Ｂの配列状態は、例えば、赤色（例えば、波長６４０ｎｍ）を発光する赤色発光ダイオード４１Ｒ、緑色（例えば、波長５３０ｎｍ）を発光する緑色発光ダイオード４１Ｇ、及び、青色（例えば、波長４５０ｎｍ）を発光する青色発光ダイオード４１Ｂを１組とした発光ダイオード・ユニットを水平方向及び垂直方向に複数、並べる配列とすることができる。
【００４８】
面状光源装置４０を構成する面状光源ユニット４２は、複数の発光ダイオード４１を、面状光源ユニット４２の照明光（より具体的には、発光ダイオード４１の射出光）に対して不透明な仕切り板４３によって区分けすることで得ることができる。面状光源ユニット４２における輝度は、隣接する面状光源ユニット４２によって影響を受けない。
【００４９】
面状光源装置４０を駆動するための第１駆動回路７０は、パルス幅変調（ＰＷＭ）信号発生回路７１、デューティ比制御回路７２、発光ダイオード（ＬＥＤ）駆動回路７３、演算回路７４、記憶装置（メモリ）７５から構成されている。一方、カラー液晶表示装置１０を駆動するための第２駆動回路８０は、タイミングコントローラ８１といった周知の回路から構成されている。また、カラー液晶表示装置１０には、ＴＦＴから成るスイッチング素子３２を駆動するための、ゲート・ドライバ、ソース・ドライバ等（これらは図示せず）が備えられている。
【００５０】
各画素は、副画素［Ｒ］（赤色発光サブピクセル）、副画素［Ｇ］（緑色発光サブピクセル）、及び、副画素［Ｂ］（青色発光サブピクセル）の３つの副画素（サブピクセル）を１組として構成されている。以下の実施例の説明においては、副画素［Ｒ，Ｇ，Ｂ］のそれぞれの輝度の制御（階調制御）を８ビット制御とし、０〜２５５の２8段階にて行うとする。従って、各表示領域ユニット１２を構成する各画素における副画素［Ｒ，Ｇ，Ｂ］のそれぞれを駆動するために第１駆動回路７０に入力される駆動信号［Ｒ，Ｇ，Ｂ］のｘR，ｘG，ｘBのそれぞれは、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【００５１】
そして、制御信号［Ｒ，Ｇ，Ｂ］は、第２駆動回路８０から副画素［Ｒ，Ｇ，Ｂ］に供給（出力）される。即ち、第２駆動回路８０を構成するタイミングコントローラ８１から、カラー液晶表示装置１０のゲート・ドライバ及びソース・ドライバに、周知の方法で送出され、各副画素を構成するスイッチング素子３２が駆動され、透明第１電極２４及び透明第２電極３４に所望の電圧が印加されることで、各副画素を構成する液晶セルにおける光透過率(開口率）Ｌｔが制御される。ここで、制御信号［Ｒ，Ｇ，Ｂ］の値が大きいほど、副画素［Ｒ，Ｇ，Ｂ］の光透過率（副画素の開口率）Ｌｔが高くなり、副画素［Ｒ，Ｇ，Ｂ］の輝度の値が高くなる。即ち、副画素［Ｒ，Ｇ，Ｂ］を通過する光によって構成される画像（通常、一種、点状である）は明るい。
【００５２】
２次元マトリクス状に配列された画素から構成された表示領域がＰ×Ｑ個の表示領域ユニットに分割されているが、この状態を、「行」及び「列」で表現すると、Ｑ行×Ｐ列の表示領域ユニットに分割されていると云える。また、表示領域ユニット１２は複数（Ｍ×Ｎ）の画素から構成されているが、この状態を、「行」及び「列」で表現すると、Ｎ行×Ｍ列の画素から構成されていると云える。尚、２次元マトリクス状に配列され、第ｑ行、第ｐ列［但し、ｑ＝１，２，・・・，Ｑであり、ｐ＝１，２，・・・，Ｐである］に位置する表示領域ユニット、面状光源ユニットを、それぞれ、表示領域ユニット１２(q,p)、面状光源ユニット４２(q,p)と表記し、表示領域ユニット１２(q,p)内の第ｎ行、第ｍ列［但し、ｎ＝１，２，・・・，Ｎであり、ｍ＝１，２，・・・，Ｍである］に位置する画素をＰＸ(q,p/n,m)と表記し、各副画素を以下のように表示する。更には、係る画素ＰＸ(q,p/n,m)における光透過率(開口率）Ｌｔを制御するために第２駆動回路８０から各副画素［Ｒ，Ｇ，Ｂ］に供給される画像信号に相当する種々の制御信号や、第１駆動回路７０に入力（供給）される種々の駆動信号の値を以下のように表示する場合がある。尚、駆動信号の伝送方式として、ＬＶＤＳ（Low Voltage Differential Signaling）方式を挙げることができる。このＬＶＤＳ方式とは、パラレル信号を低電圧差動のシリアル信号に変換して伝送する方式であり、ノイズ及び不要輻射を低減し、伝送線を削減することができる。但し、信号伝送方式は、ＬＶＤＳ方式に限られず、例えば、ＬＶＴＴＬ方式を採用してもよい。
【００５３】
副画素［Ｒ］  ：副画素［Ｒ］(q,p/n,m)
副画素［Ｇ］  ：副画素［Ｇ］(q,p/n,m)
副画素［Ｂ］  ：副画素［Ｂ］(q,p/n,m)
駆動信号［Ｒ］：駆動信号［Ｒ］(q,p/n,m)
駆動信号［Ｇ］：駆動信号［Ｇ］(q,p/n,m)
駆動信号［Ｂ］：駆動信号［Ｂ］(q,p/n,m)
駆動信号［Ｒ］(q,p/n,m)の値ｘR：ｘR-(q,p/n,m)
駆動信号［Ｇ］(q,p/n,m)の値ｘG：ｘG-(q,p/n,m)
駆動信号［Ｂ］(q,p/n,m)の値ｘB：ｘB-(q,p/n,m)
副画素［Ｒ，Ｇ，Ｂ］  ：副画素［Ｒ，Ｇ，Ｂ］(q,p/n,m)
駆動信号［Ｒ，Ｇ，Ｂ］：駆動信号［Ｒ，Ｇ，Ｂ］(q,p/n,m)
駆動信号［Ｒ，Ｇ，Ｂ］(q,p/n,m)の値ｘR，ｘG，ｘB：ｘR-(q,p/n,m)，ｘG-(q,p/n,m)，ｘB-(q,p/n,m)
制御信号［Ｒ］：制御信号［Ｒ］(q,p/n,m)
制御信号［Ｇ］：制御信号［Ｇ］(q,p/n,m)
制御信号［Ｂ］：制御信号［Ｂ］(q,p/n,m)
制御信号［Ｒ］(q,p/n,m)の値ＸR：ＸR-(q,p/n,m)
制御信号［Ｇ］(q,p/n,m)の値ＸG：ＸG-(q,p/n,m)
制御信号［Ｂ］(q,p/n,m)の値ＸB：ＸB-(q,p/n,m)
【００５４】
尚、各画素を構成する副画素［Ｒ，Ｇ，Ｂ］のそれぞれを駆動するために、周知の外部回路から第１駆動回路７０に入力される駆動信号［Ｒ，Ｇ，Ｂ］の値ｘR，ｘG，ｘBの最大値（駆動信号最大値）をｘmaxとする。
【００５５】
また、面状光源ユニット４２のそれぞれにおいて、各表示領域ユニット１２(q,p)を構成する全ての画素における副画素［Ｒ，Ｇ，Ｂ］(q,p/n,m)を駆動するために第１駆動回路７０に入力される駆動信号［Ｒ，Ｇ，Ｂ］(q,p/n,m)の値ｘR-(q,p/n,m)，ｘG-(q,p/n,m)，ｘB-(q,p/n,m)の内の最大値を、表示領域ユニット内−駆動信号最大値ｘU-max(R,G,B)-(q,p)と表記する。
【００５６】
表示輝度及び光源ユニット輝度の制御は、１フレーム毎に行われる。また、１フレーム内における液晶表示装置の動作と面状光源装置の動作とは同期させられる。
【実施例１】
【００５７】
実施例１は、本発明のカラー液晶表示装置組立体の駆動方法に関し、より具体的には、本発明の第１の構成に係る駆動方法に関する。以下、実施例１のカラー液晶表示装置組立体の駆動方法を説明する。ここで、実施例１あるいは後述する実施例２〜実施例３における各種パラメータの具体的な値を表２に示すが、これらの値に限定するものではない。尚、表２に示した例にあっては、コントラスト比は、元々のコントラスト比、例えば、ｂ1：ｂ0≒１０3：１が、ｃ1：ｃ0≒１０4：１に改善される。
【００５８】
［表２］
ｘmax＝２５６
ａ1  ＝０．９９
ａ0  ＝０．０１
ｂ1_R＝ｂ1_G＝ｂ1_B＝９９９
ｂ0_R＝ｂ0_G＝ｂ0_B＝１
ｃ1_R＝ｃ1_G＝ｃ1_B＝９９９
ｃ0_R＝ｃ0_G＝ｃ0_B＝０．１
ｋ0  ＝０．０６２５
ｋ1  ＝０．９３７５
ｋ2  ＝０．４８
α0  ＝１．００
α1  ＝０．７
α2  ＝０．１
Ｄmax＝カラー液晶表示装置における表示領域ユニットにおいて、７１４ｃｄ／ｍ2の値が得られるデューティ期間
Ｄ0  ＝Ｄmax
Ｄ1  ＝カラー液晶表示装置における表示領域ユニットにおいて、５００ｃｄ／ｍ2の値が得られるデューティ期間
Ｄ2  ＝カラー液晶表示装置における表示領域ユニットにおいて、７１ｃｄ／ｍ2の値が得られるデューティ期間
ｋ1・ｘmax ＝２４０
ｋ0・ｘmax ＝  １６
【００５９】
表示輝度をｙ、画素の光透過率(開口率）Ｌｔを制御するための駆動信号をｘとしたとき、一般に、
ｙ＝ｄ1・ｘ2.2＋ｄ0      （Ａ）
といったγ特性を保持する必要がある。ところで、この式（Ａ）は、光源ユニット輝度が一定の場合に成立する式である。後述するように、光源ユニット輝度を制御する関数ｇ（ｘnol-max）が、
ｇ（ｘnol-max）＝ａ1・（ｘnol-max）2.2＋ａ0
（但し、ａ1，ａ0は定数であり、ａ1＋ａ0＝１，０＜ａ0＜１，０＜ａ1＜１）
で表されるとする。すると、この場合には、
ｙ＝（ａ1・（ｘnol-max）2.2＋ａ0）（ｅ1・ｘ2.2＋ｅ0）    （Ｂ）
となる。尚、ｅ1，ｅ0は定数である。ここで、式（Ａ）と式（Ｂ）とを比較すると、定数ｄ1，ｄ0，ｅ1，ｅ0を如何なる値としても、式（Ａ）の右辺と式（Ｂ）の右辺とが常に等しくなることはない。即ち、光源ユニット輝度が一定でない場合、所望のγ特性を保持することができなくなる。
【００６０】
実施例１において、面状光源ユニット４２の輝度（光源ユニット輝度）の増減は、面状光源ユニット輝度制御関数に基づき行われる。また、副画素［Ｒ］の輝度（表示輝度）は、面状光源ユニット輝度制御関数と駆動信号［Ｒ］の補正値ｘR_Mとの積に基づき得られ、副画素［Ｇ］の輝度（表示輝度）は、面状光源ユニット輝度制御関数と駆動信号［Ｇ］の補正値ｘG_Mとの積に基づき得られ、副画素［Ｂ］の輝度（表示輝度）は、面状光源ユニット輝度制御関数と駆動信号［Ｂ］の補正値ｘB_Mとの積に基づき得られる。
【００６１】
即ち、具体的には、
ｘnol-max≡ｘU-max(R,G,B)／ｘmax
としたとき、面状光源ユニット輝度制御関数ｇ（ｘnol-max）は、
ｇ（ｘnol-max）＝ａ1・（ｘnol-max）2.2＋ａ0    （１）
（但し、ａ1，ａ0は定数であり、ａ1＋ａ0＝１，０＜ａ0＜１，０＜ａ1＜１）
で表される。尚、ａ1，ａ0の具体的な値を表２に例示する。
【００６２】
ここで、表示領域ユニット１２に対応する面状光源ユニット４２の輝度（光源ユニット輝度）の増減に応じて、第２駆動回路に入力される駆動信号の補正値を、以下の記号で表記する。
【００６３】
駆動信号［Ｒ］の補正値        ：ｘR_M（ｘR_M-(q,p/n,m)）
駆動信号［Ｇ］の補正値        ：ｘG_M（ｘG_M-(q,p/n,m)）
駆動信号［Ｂ］の補正値        ：ｘB_M（ｘB_M-(q,p/n,m)）
駆動信号［Ｒ，Ｇ，Ｂ］の補正値：ｘR_M-(q,p/n,m)，ｘG_M-(q,p/n,m)，ｘB_M-(q,p/n,m)
【００６４】
そして、この場合、値ｘRを有する駆動信号［Ｒ］に相当する制御信号［Ｒ］が副画素［Ｒ］に供給されたと想定したときの表示輝度をｙR、値ｘGを有する駆動信号［Ｇ］に相当する制御信号［Ｇ］が副画素［Ｇ］に供給されたと想定したときの表示輝度をｙG、値ｘBを有する駆動信号［Ｂ］に相当する制御信号［Ｂ］が副画素［Ｂ］に供給されたと想定したときの表示輝度をｙBとしたとき、
ｙR＝ｃ1_R・ｘR2.2＋ｃ0_R
＝（ａ1・（ｘnol-max）2.2＋ａ0）（ｂ1_R・ｘR_M2.2＋ｂ0_R）    （２−１’）
ｙG＝ｃ1_G・ｘG2.2＋ｃ0_G
＝（ａ1・（ｘnol-max）2.2＋ａ0）（ｂ1_G・ｘG_M2.2＋ｂ0_G）    （２−２’）
ｙB＝ｃ1_B・ｘB2.2＋ｃ0_B
＝（ａ1・（ｘnol-max）2.2＋ａ0）（ｂ1_B・ｘB_M2.2＋ｂ0_B）    （２−３’）
（但し、ｂ1_R，ｂ0_R，ｃ1_R，ｃ0_R、ｂ1_G，ｂ0_G，ｃ1_G，ｃ0_G、ｂ1_B，ｂ0_B，ｃ1_B，ｃ0_Bは定数）
を満足する。
【００６５】
より具体的には、予め、ｘR，ｘG，ｘBの値とｘnol-maxの値とから、式（２−１’）、式（２−２’）、式（２−３’）に基づき、ｘR_M，ｘG_M，ｘB_Mの値を計算で求め、これらの値を記憶装置７５に表（線形特性維持関数参照テーブルと呼ぶ）として、記憶しておく。これによって、ｘR，ｘG，ｘBの値とｘU-max(R,G,B)の値とが判れば、駆動信号の補正値ｘR_M，ｘG_M，ｘB_Mを容易に、短時間で求めることができる。
【００６６】
ここで、実施例１にあっては、ｘnol-maxの値の範囲は、０以上、１以下である。また、先に説明したとおり、面状光源ユニット４２は発光ダイオード（ＬＥＤ）から成り、面状光源ユニット４２の輝度の増減を、面状光源ユニット４２を構成する発光ダイオードのパルス幅変調制御におけるデューティ期間の長短制御によって行う。
【００６７】
以下、実施例１のカラー液晶表示装置組立体の駆動方法を、具体的に説明する。尚、駆動信号の値を２．２乗した値（ｘ’≡ｘ2.2）とデューティ期間との関係を模式的に図１の（Ａ）に示し、制御信号の値Ｘと表示輝度ｙとの関係を模式的に図１の（Ｂ）に示す。
【００６８】
［ステップ−１００］
スキャンコンバータ等の周知のディスプレイ回路から送出された１フレーム分の駆動信号［Ｒ，Ｇ，Ｂ］及びクロック信号ＣＬＫは、先ず、第１駆動回路７０に入力される。尚、駆動信号［Ｒ，Ｇ，Ｂ］は、例えば撮像管への入力光量をｙ0としたとき、撮像管からの出力信号であり、例えば放送局等から出力され、画素の光透過率を制御するために第１駆動回路７０に入力される駆動信号であり、入力光量ｙ0の０．４５乗の関数で表すことができる。そして、第１駆動回路７０に入力された１フレーム分の駆動信号［Ｒ，Ｇ，Ｂ］の値ｘR，ｘG，ｘBは、第１駆動回路７０を構成する記憶装置７５に、一旦、記憶される。
【００６９】
［ステップ−１１０］
次いで、演算回路７４においては、記憶装置７５に記憶された駆動信号［Ｒ，Ｇ，Ｂ］の値を読み出し、第（ｐ，ｑ）番目［但し、先ず、ｐ＝１，ｑ＝１］の表示領域ユニット１２(q,p)を構成する全ての画素ＰＸ(q,p/n,m)における副画素［Ｒ，Ｇ，Ｂ］(q,p/n,m)を駆動するために第１駆動回路７０に入力された駆動信号［Ｒ，Ｇ，Ｂ］(q,p/n,m)の値ｘR-(q,p/n,m)，ｘG-(q,p/n,m)，ｘB-(q,p/n,m)の内の最大値（表示領域ユニット内−駆動信号最大値ｘU-max(R,G,B)-(q,p)）を求める。そして、表示領域ユニット内−駆動信号最大値ｘU-max(R,G,B)-(q,p)を、記憶装置７５に記憶する。尚、このステップは、ｍ＝１，２，・・・，Ｍ、ｎ＝１，２，・・・，Ｎの全てに対して、即ち、Ｍ×Ｎ個の画素に対して、実行される。
【００７０】
例えば、
ｘR-(n,m/q,p)＝１１０
ｘG-(n,m/q,p)＝１５０
ｘB-(n,m/q,p)＝  ５０
である場合、
ｘU-max(R,G,B)-(q,p)＝１５０
となる。
【００７１】
この操作を、（ｐ，ｑ）＝（１，１）から、（Ｐ，Ｑ）まで繰り返し、全ての表示領域ユニット１２(q,p)における表示領域ユニット内−駆動信号最大値ｘU-max(R,G,B)-(q,p)を、記憶装置７５に記憶する。
【００７２】
［ステップ−１２０］
その後、演算回路７４において、再び、記憶装置７５に記憶された駆動信号の値ｘR-(q,p/n,m)，ｘG-(q,p/n,m)，ｘB-(q,p/n,m)を読み出し、駆動信号の値ｘR-(q,p/n,m)，ｘG-(q,p/n,m)，ｘB-(q,p/n,m)と表示領域ユニット内−駆動信号最大値ｘU-max(R,G,B)-(q,p)とに基づき、線形特性維持関数参照テーブルから、駆動信号の補正値ｘR_M-(q,p/n,m)，ｘG_M-(q,p/n,m)，ｘB_M-(q,p/n,m)を求める。そして、求められた駆動信号の補正値ｘR_M-(q,p/n,m)，ｘG_M-(q,p/n,m)，ｘB_M-(q,p/n,m)を、記憶装置７５に、一旦、記憶する。
【００７３】
［ステップ−１３０］
そして、表示領域ユニット内−駆動信号最大値ｘU-max(R,G,B)-(q,p)に等しい値を有する駆動信号［Ｒ，Ｇ，Ｂ］(q,p)に相当する制御信号［Ｒ，Ｇ，Ｂ］(q,p)が副画素［Ｒ，Ｇ，Ｂ］(q,p)に供給されたと想定したときの表示輝度が、例えば、面状光源ユニットの第１の輝度制御方法に基づき得られるように、表示領域ユニット１２(q,p)に対応する面状光源ユニット４２(q,p)の輝度（光源ユニット輝度）を、第１駆動回路７０の制御下、増減する。面状光源ユニット４２(q,p)の輝度の制御は、面状光源ユニット輝度制御関数ｇ（ｘnol-max）である式（１）に基づく。
【００７４】
具体的には、演算回路７４において求められた表示領域ユニット内−駆動信号最大値ｘU-max(R,G,B)-(q,p)の値に基づき、デューティ比制御回路７２において、面状光源ユニット４２(q,p)を構成する発光ダイオード４１Ｒ(q,p)，４１Ｇ(q,p)，４１Ｂ(q,p)のパルス幅変調制御におけるデューティ期間Ｄ［ｘU-max(R,G,B)］を決定する。この状態を、図１の（Ａ）に実線で示す。尚、デューティ期間Ｄ［ｘU-max(R,G,B)］は、面状光源ユニットの第１の輝度制御方法に基づき決定すればよい。そして、係るデューティ期間Ｄ［ｘU-max(R,G,B)］に相当する信号をＬＥＤ駆動回路７３に送り、併せて、ＰＷＭ信号発生回路７１において生成されたＰＷＭ信号をＬＥＤ駆動回路７３に送り、ＬＥＤ駆動回路７３においては、ＰＷＭ信号とデューティ期間Ｄ［ｘU-max(R,G,B)］に相当する信号に基づきＬＥＤ駆動信号ＰＷＭ(q,p)を生成し、係るＬＥＤ駆動信号ＰＷＭ(q,p)を、面状光源ユニット４２(q,p)を構成する発光ダイオード４１Ｒ(q,p)，４１Ｇ(q,p)，４１Ｂ(q,p)に送出する。これによって、面状光源ユニット４２(q,p)を構成する発光ダイオード４１Ｒ(q,p)，４１Ｇ(q,p)，４１Ｂ(q,p)は、１フレーム時間中の所定の時間だけ点灯し、第（ｐ，ｑ）番目の表示領域ユニット１２(q,p)を、所定の照度において照明する。こうして得られた表示輝度の状態を、図１の（Ｂ）に実線で示す。
【００７５】
例えば、ｘU-max(R,G,B)-(q,p)＝１５０  である場合、この表示領域ユニット内−駆動信号最大値ｘU-max(R,G,B)-(q,p)に等しい値を有する駆動信号［Ｒ，Ｇ，Ｂ］(q,p)に相当する制御信号［Ｒ，Ｇ，Ｂ］(q,p)が副画素［Ｒ，Ｇ，Ｂ］(q,p)に供給されたと想定したときの表示輝度が、例えば、面状光源ユニットの第１の輝度制御方法に基づき得られるように、表示領域ユニット１２(q,p)に対応する面状光源ユニット４２(q,p)の光源ユニット輝度を、第１駆動回路７０の制御下、増減する。即ち、表示領域ユニット内−駆動信号最大値ｘU-max(R,G,B)-(q,p)に等しい値を有する駆動信号に相当する制御信号が副画素［Ｒ，Ｇ，Ｂ］(q,p)に供給されたと想定したときの表示輝度をｙ1とする。また、このときの各副画素を構成する液晶セルにおける光透過率（開口率）をＬｔ1（０％≦Ｌｔ3≦１００％）とする。そして、各副画素を構成する液晶セルにおける光透過率（開口率）をＬｔ2（但し、Ｌｔ2＞Ｌｔ1であり、例えば、１００％）としたときに表示輝度ｙ1が得られるように、面状光源ユニット４２(q,p)の光源ユニット輝度Ｙ1を制御する。即ち、
Ｌｔ2・Ｙ1＝Ｌｔ1・ｙ1
を満足するように、面状光源ユニット輝度制御関数ｇ（ｘnol-max）である式（１）に基づき、光源ユニット輝度Ｙ1を制御する。尚、光源ユニット輝度の制御に関するこれらの関係、即ち、表示領域ユニット内−駆動信号最大値の値、この値に等しい値を有する駆動信号に相当する制御信号の値、このような制御信号が副画素に供給されたと想定したときの表示輝度ｙ1、このときの各副画素を構成する液晶セルにおける光透過率（開口率）Ｌｔ1、各副画素を構成する液晶セルにおける光透過率（開口率）Ｌｔ2としたときに表示輝度ｙ1が得られるような面状光源ユニットにおける輝度制御パラメータの関係は、予め求めておけばよい。
【００７６】
一方、この表示領域ユニット１２(q,p)に対応する面状光源ユニット４２(q,p)の輝度（光源ユニット輝度）の増減に応じて、第１駆動回路７０から第２駆動回路８０に入力される駆動信号［Ｒ，Ｇ，Ｂ］(q,p/n,m)の値を第１駆動回路７０において補正し、第２駆動回路８０に入力された補正駆動信号［Ｒ，Ｇ，Ｂ］(q,p/n,m)に相当する制御信号［Ｒ，Ｇ，Ｂ］(q,p/n,m)を、副画素［Ｒ，Ｇ，Ｂ］(q,p/n,m)に供給（出力）する。これによって、各画素における輝度特性を所望の特性（例えば、線形特性）に近づけることができる。即ち、表示輝度ｙあるいは制御信号の値Ｘは、駆動信号の補正値の２．２乗の関数で表すことができる。従って、第２駆動回路８０のタイミングコントローラ８１において生成され、第２駆動回路８０から副画素［Ｒ，Ｇ，Ｂ］(q,p/n,m)に供給される制御信号［Ｒ，Ｇ，Ｂ］(q,p/n,m)の値ＸR-(q,p/n,m)，ＸG-(q,p/n,m)，ＸB-(q,p/n,m)と、補正駆動信号［Ｒ，Ｇ，Ｂ］(q,p/n,m)の値ｘR_M-(q,p/n,m)，ｘG_M-(q,p/n,m)，ｘB_M-(q,p/n,m)とは、以下の関係にある。
【００７７】
ＸR-(q,p/n,m)＝ｂ1_R・ｘR_M-(q,p/n,m)2.2＋ｂ0_R    （２−１”）
ＸG-(q,p/n,m)＝ｂ1_G・ｘG_M-(q,p/n,m)2.2＋ｂ0_G    （２−２”）
ＸB-(q,p/n,m)＝ｂ1_B・ｘB_M-(q,p/n,m)2.2＋ｂ0_B    （２−３”）
【００７８】
以下の表３に、駆動信号の値ｘが与えられたときの駆動信号の補正値ｘMの例を掲げる。ここで、駆動信号の値ｘは、０〜１に正規化されている。
【００７９】
2007212782.tif 000004
【実施例２】
【００８０】
実施例２は、実施例１の変形であり、より具体的には、本発明の第２の構成に係る駆動方法に関する。以下、実施例２のカラー液晶表示装置組立体の駆動方法を説明する。尚、実施例２における駆動信号の値を２．２乗した値（ｘ’≡ｘ2.2）とデューティ期間との関係を模式的に図２の（Ａ）に示し、制御信号の値Ｘと表示輝度ｙとの関係を模式的に図２の（Ｂ）に示す。
【００８１】
［ステップ−２００］
先ず、実施例１の［ステップ−１００］と同じステップを実行し、次いで、実施例１の［ステップ−１１０］と同じステップを実行する。
【００８２】
［ステップ−２１０］
次いで、演算回路７４においては、記憶装置７５に記憶された駆動信号の値を読み出し、第（ｐ，ｑ）番目［但し、先ず、ｐ＝１，ｑ＝１］の表示領域ユニット１２(q,p)において、この第（ｐ，ｑ）番目の表示領域ユニット１２(q,p)を構成するいずれかの画素ＰＸ(q,p/n,m)における副画素［Ｒ，Ｇ，Ｂ］(q,p/n,m)のそれぞれを駆動するために第１駆動回路７０に入力される駆動信号［Ｒ，Ｇ，Ｂ］(q,p/n,m)の値ｘR-(q,p/n,m)，ｘG-(q,p/n,m)，ｘB-(q,p/n,m)の全てが、同時に、上限閾値であるｋ1・ｘmaxの値以上であるか、即ち、
ｘR（ｘR-(q,p/n,m)）≧ｋ1・ｘmax    （３−１）
ｘG（ｘG-(q,p/n,m)）≧ｋ1・ｘmax    （３−２）
ｘB（ｘB-(q,p/n,m)）≧ｋ1・ｘmax    （３−３）
を満足するかを評価する。尚、このステップは、ｍ＝１，２，・・・，Ｍ、ｎ＝１，２，・・・，Ｎの全てに対して、即ち、Ｍ×Ｎ個の画素に対して、実行される。但し、ｋ1は、０．９４≦ｋ1≦０．９９の範囲内の係数であり、ｋ0は、０．０６≦ｋ0≦０．３の範囲内の係数であり、具体的な値を表２に例示する。
【００８３】
［ステップ−２２０Ａ］
そして、このような、式（３−１）、式（３−２）及び式（３−３）を同時に満足する画素ＰＸ(q,p/n,m)が表示領域ユニット１２(q,p)内に存在する場合には、
ｘU-ave(R,G,B)＝（ｘR＋ｘG＋ｘB）／３＋ｋ0・ｘmax    （４）
＝（ｘR-(q,p/n,m)＋ｘG-(q,p/n,m)＋ｘB-(q,p/n,m)）／３＋ｋ0・ｘmax
（４’）
（但し、ｋ1は、０．９４≦ｋ1≦０．９９の範囲内の係数であり、具体的には、表２を参照）
に等しい値を有する駆動信号［Ｒ，Ｇ，Ｂ］(q,p)に相当する制御信号［Ｒ，Ｇ，Ｂ］(q,p)が副画素［Ｒ，Ｇ，Ｂ］(q,p)に供給されたと想定したときの表示輝度が、例えば、面状光源ユニットの第２の輝度制御方法に基づき得られるように、この表示領域ユニット１２(q,p)に対応する面状光源ユニット４２(q,p)の輝度（光源ユニット輝度）を、第１駆動回路７０の制御下、増加させる。尚、式（４）の右辺第１項の値を整数とし、３で除したときに整数とならない場合には、小数点第１桁を四捨五入する。また、式（４）の右辺第２項の値も整数とし、ｋ0・ｘmaxの値が整数となるように係数ｋ0を選択する。
【００８４】
具体的には、例えば、
ｘR-(q,p/n,m)＝２４０
ｘG-(q,p/n,m)＝２５５
ｘB-(q,p/n,m)＝２５０
とした場合、式（４’）から、演算回路７４において、ｘU-ave(R,G,B)の値を計算する。即ち、
ｘU-ave(R,G,B)＝（２４０＋２５５＋２５０）／３＋１６
＝２６４
となる。従って、ｘU-ave(R,G,B)＝２６４に等しい値を有する駆動信号［Ｒ，Ｇ，Ｂ］(q,p)に相当する制御信号［Ｒ，Ｇ，Ｂ］(q,p)が副画素［Ｒ，Ｇ，Ｂ］(q,p)に供給されたと想定したときの表示輝度が得られるように、表示領域ユニット１２(q,p)に対応する面状光源ユニット４２(q,p)の輝度（光源ユニット輝度）を増加させる。尚、このような面状光源ユニットを輝度増加面状光源ユニットと呼ぶ。即ち、ｘU-ave(R,G,B)＝２６４に相当する値を有する制御信号が副画素に供給されたと想定したときの表示輝度をｙ3とする。また、このときの各副画素を構成する液晶セルにおける光透過率（開口率）をＬｔ3（０％＜Ｌｔ3≦１００％）とする。そして、各副画素を構成する液晶セルにおける光透過率（開口率）をＬｔ3としたときに表示輝度ｙ3が得られるように、光源ユニット輝度を、光源ユニット輝度の最高値Ｙmaxへと増加させる。
【００８５】
ここで、
ｘU-ave(R,G,B)＝（１＋ｋ0）ｘmax＝２７２
に等しい値を有する駆動信号［Ｒ，Ｇ，Ｂ］(q,p)に相当する制御信号［Ｒ，Ｇ，Ｂ］(q,p)が副画素［Ｒ，Ｇ，Ｂ］(q,p)に供給されたと想定したときの表示輝度が、例えば、面状光源ユニットの第２の輝度制御方法に基づき得られるようなデューティ期間Ｄ0は、最大デューティ期間をＤmaxとしたとき、
Ｄ0＝α0・Ｄmax    （６）
である。但し、α0は、０．９５≦α0≦１．０の範囲内の係数であり、具体的な値を表２に例示する。
【００８６】
そして、演算回路７４において求められたｘU-ave(R,G,B)＝２６４といった値に基づき、デューティ比制御回路７２において、面状光源ユニット４２(q,p)を構成する発光ダイオード４１Ｒ(q,p)，４１Ｇ(q,p)，４１Ｂ(q,p)のパルス幅変調制御におけるデューティ期間Ｄ［ｘU-ave(R,G,B)］を決定する。この状態を、図２の（Ａ）に実線で示すが、より具体的には、デューティ期間Ｄ［ｘU-ave(R,G,B)］＝Ｄ0とすればよい。そして、係るデューティ期間Ｄ［ｘU-ave(R,G,B)］に相当する信号をＬＥＤ駆動回路７３に送り、併せて、ＰＷＭ信号発生回路７１において生成されたＰＷＭ信号をＬＥＤ駆動回路７３に送り、ＬＥＤ駆動回路７３においては、ＰＷＭ信号とデューティ期間Ｄ［ｘU-ave(R,G,B)］に相当する信号に基づきＬＥＤ駆動信号ＰＷＭ(q,p)を生成し、係るＬＥＤ駆動信号ＰＷＭ(q,p)を、面状光源ユニット４２(q,p)を構成する発光ダイオード４１Ｒ(q,p)，４１Ｇ(q,p)，４１Ｂ(q,p)に送出する。これによって、面状光源ユニット４２(q,p)を構成する発光ダイオード４１Ｒ(q,p)，４１Ｇ(q,p)，４１Ｂ(q,p)は、１フレーム時間中の所定の時間だけ点灯し、第（ｐ，ｑ）番目の表示領域ユニット１２(q,p)を、所定の照度において照明する。こうして得られた表示輝度の状態を、図２の（Ｂ）に実線で示す。
【００８７】
一方、駆動信号［Ｒ，Ｇ，Ｂ］(q,p/n,m)の未補正の値ｘR-(q,p/n,m)，ｘG-(q,p/n,m)，ｘB-(q,p/n,m)を、第１駆動回路７０から第２駆動回路８０のタイミングコントローラ８１へと出力する。タイミングコントローラ８１にあっては、入力された未補正の駆動信号［Ｒ，Ｇ，Ｂ］(q,p/n,m)に相当する制御信号［Ｒ，Ｇ，Ｂ］(q,p/n,m)を、副画素［Ｒ，Ｇ，Ｂ］(q,p/n,m)に供給（出力）する。第２駆動回路８０のタイミングコントローラ８１において生成され、第２駆動回路８０から副画素［Ｒ，Ｇ，Ｂ］(q,p/n,m)に供給される制御信号［Ｒ，Ｇ，Ｂ］(q,p/n,m)の値ＸR-(q,p/n,m)，ＸG-(q,p/n,m)，ＸB-(q,p/n,m)と、未補正の駆動信号［Ｒ，Ｇ，Ｂ］(q,p/n,m)の値ｘR-(q,p/n,m)，ｘG-(q,p/n,m)，ｘB-(q,p/n,m)とは、以下の関係にある。面状光源ユニット４２(q,p)の輝度（光源ユニット輝度）は一定であるが故に、各画素におけるγ特性の変動は生じない。
【００８８】
ＸR-(q,p/n,m)＝ｂ1_R・ｘR-(q,p/n,m)2.2＋ｂ0_R    （２−Ａ）
ＸG-(q,p/n,m)＝ｂ1_G・ｘG-(q,p/n,m)2.2＋ｂ0_G    （２−Ｂ）
ＸB-(q,p/n,m)＝ｂ1_B・ｘB-(q,p/n,m)2.2＋ｂ0_B    （２−Ｃ）
【００８９】
［ステップ−２２０Ｂ］
他方、上述した式（３−１）、式（３−２）及び式（３−３）を同時に満足する画素ＰＸ(q,p/n,m)が表示領域ユニット１２(q,p)内に存在しないと演算回路７４において判断された場合には、実施例１の［ステップ−１２０］及び［ステップ−１３０］のステップを実行する。尚、このような面状光源ユニットを非輝度増加面状光源ユニットと呼ぶ。
【００９０】
式（４）あるいは式（４’）の右辺第２項のｋ0・ｘmaxにおける係数ｋ0を、駆動信号の平均値［（ｘR＋ｘG＋ｘB）／３＝ｘAve］の１次あるいは２次以上の多項式で表現される関数Ｆ_k0（ｘAve）とすることもできる。例えば、関数Ｆ_k0（ｘAve）として、ｘAveの１次関数、例えば、
Ｆ_k0（ｘAve）＝ｋ0・ｘAve／｛（１−ｋ1）・ｘmax) ｝−ｋ0・ｋ1／（１−ｋ1）
を例示することができる。この実施例２の変形例における駆動信号の値を２．２乗した値（ｘ’≡ｘ2.2）とデューティ期間との関係を模式的に図３の（Ａ）に示し、制御信号の値Ｘと表示輝度ｙとの関係を模式的に図３の（Ｂ）に示す。尚、関数Ｆ_k0（ｘAve）は、上記のとおり、ｘAve＝ｋ1・ｘmaxのとき０であり、ｘAve＝ｘmaxのときｋ0となる１次関数である。この場合にあっては、各副画素を構成する液晶セルにおける光透過率（開口率）をＬｔ4（但し、Ｌｔ4＞Ｌｔ3であり、例えば、１００％）としたときに表示輝度ｙ3が得られるように、面状光源ユニットの輝度（光源ユニット輝度）を増加させるといった面状光源ユニットの第３の輝度制御方法を採用すればよい。ここで、光源ユニット輝度の制御に関するこれらの関係、即ち、駆動信号の値、この値に等しい値を有する駆動信号に相当する制御信号の値、このような制御信号が副画素に供給されたと想定したときの表示輝度ｙ3、このときの各副画素を構成する液晶セルにおける光透過率（開口率）Ｌｔ3、各副画素を構成する液晶セルにおける光透過率（開口率）Ｌｔ4としたときに表示輝度ｙ3が得られるような面状光源ユニットにおける輝度制御パラメータの関係は、予め求めておけばよい。尚、図３の（Ａ）及び（Ｂ）の実線、点線、あるいは、後述する図４の（Ａ）及び（Ｂ）の実線、点線、図５の（Ａ）及び（Ｂ）の実線、点線、図６の（Ａ）及び（Ｂ）の実線、点線の意味するところは、図２の（Ａ）及び（Ｂ）の実線、点線の意味するところと同じである。また、実施例３におけるｘmaxを含む種々のパラメータの値は、表２に示したとおりである。
【００９１】
そして、この場合には、実施例１の［ステップ−１２０］と同様にして、線形特性維持関数参照テーブルから駆動信号の補正値ｘR_M，ｘG_M，ｘB_Mを求める。そして、求められた補正値ｘR_M，ｘG_M，ｘB_Mの値を、記憶装置７５に、一旦、記憶し、その後、実施例１の［ステップ−１３０］のステップを実行する。
【００９２】
尚、ｋ1・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの表示輝度が、例えば、面状光源ユニットの第１の輝度制御方法に基づき得られるようなデューティ期間Ｄ1は、最大デューティ期間をＤmaxとしたとき、
Ｄ1＝α1・Ｄmax    （７）
（但し、α1は、０．３≦α1≦０．８の範囲内の係数）
を満足する。但し、α1は、０．３≦α1≦０．８の範囲内の係数であり、具体的な値は表２に示したとおりである。
【実施例３】
【００９３】
実施例３は、実施例１あるいは実施例２の変形である。実施例３にあっては、実施例１の［ステップ−１２０］、あるいは、実施例２の［ステップ−２２０Ｂ］で、面状光源ユニットのそれぞれにおいて、
ｘU-max(R,G,B)≦ｋ2・ｘmax    （８）
である場合、ｋ2・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの表示輝度が、例えば、面状光源ユニットの第４の輝度制御方法に基づき得られるように、表示領域ユニットに対応する面状光源ユニットの輝度（光源ユニット輝度）を、第１駆動回路７０の制御下、増加させる。但し、ｋ2は、０．３５≦ｋ2≦０．５の範囲内の係数であり、具体的な値は表２に示したとおりである。尚、この状態を、図４の（Ｂ）あるいは図５の（Ｂ）に点線で示す。ここで、図４の（Ａ）及び（Ｂ）は、実施例１の変形に対応し、図５の（Ａ）及び（Ｂ）は、実施例２の変形に対応する。尚、図４の（Ａ）及び図５の（Ａ）は、駆動信号の値を２．２乗した値（ｘ’≡ｘ2.2）とデューティ期間との関係を模式的に示す図であり、図４の（Ｂ）及び図５の（Ｂ）は、制御信号の値Ｘと表示輝度ｙとの関係を模式的に示す図である。
【００９４】
また、ｋ2・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの表示輝度が、例えば、面状光源ユニットの第４の輝度制御方法に基づき得られるようなデューティ期間Ｄ2は、最大デューティ期間をＤmaxとしたとき、
Ｄ2＝α2・Ｄmax    （９）
を満足する。但し、α2は、０．０１≦α2≦０．２の範囲内の係数であり、具体的な値は表２に示したとおりである。尚、この状態を、図４（Ａ）あるいは図５の（Ａ）に点線で示す。
【００９５】
より具体的には、ｋ2・ｘmaxに相当する値を有する制御信号が副画素に供給されたと想定したときの表示輝度をｙ5とする。また、このときの各副画素を構成する液晶セルにおける光透過率（開口率）をＬｔ5（０％≦Ｌｔ5＜１００％）とする。そして、各副画素を構成する液晶セルにおける光透過率（開口率）をＬｔ5としたときに表示輝度ｙ5が得られるように光源ユニット輝度を増加させる。ここで、ｘU-ave(R,G,B)の値の如何に拘わらず、増加させた光源ユニット輝度Ｙ5を一定とすればよい。より具体的には、光源ユニット輝度Ｙ5を、ｋ2・ｘmaxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの表示輝度が得られるような面状光源ユニットの輝度とすればよい。尚、実施例２の変形例に対応する実施例３に対して、実施例２の変形例を適用することもでき、この場合の駆動信号の値を２．２乗した値（ｘ’≡ｘ2.2）とデューティ期間との関係を模式的に図６の（Ａ）に示し、制御信号の値Ｘと表示輝度ｙとの関係を模式的に図６の（Ｂ）に示す。
【００９６】
以上、本発明を好ましい実施例に基づき説明したが、本発明はこれらの実施例に限定されるものではない。実施例において説明した透過型のカラー液晶表示装置や面状光源装置、カラー液晶表示装置組立体の構成、構造は例示であるし、これらを構成する部材、材料等も例示であり、適宜、変更することができる。面状光源装置の発光状態を光センサーで監視し、発光ダイオードの温度を温度センサーで監視し、その結果を、発光ダイオード（ＬＥＤ）駆動回路７３にフィードバックすることで、面状光源ユニットの輝度補償（補正）や温度制御を行ってもよい。
【００９７】
また、場合によっては式（３−１）、式（３−２）、式（３−３）の代わりに、
（ｘR＋ｘG＋ｘB）／３≧ｋ1・ｘmax    （１０）
（但し、ｋ1は、０．９４≦ｋ1≦０．９９の範囲内の係数）
を満足する場合には、
ｘU-ave(R,G,B)＝（ｘR＋ｘG＋ｘB）／３＋ｋ0・ｘmax    （４）
（但し、ｋ0は、０．０６≦ｋ0≦０．３の範囲内の係数）
に等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの画素の輝度が得られるように、表示領域ユニットに対応する面状光源ユニットの輝度を、第１駆動回路７０の制御下、増加させてもよい。
【００９８】
また、図１０に概念図を示すように、発光ダイオード４１に光取出しレンズ１００を取り付けた発光ダイオード組立体を光源として使用し、発光ダイオード４１から射出された光が、光取出しレンズ１００の頂面１０３において全反射され、光取出しレンズ１００の水平方向に主に射出される２次元方向射出構成とすることもできる。尚、図１０において、参照番号１０１は光取出しレンズ１００の底面を指し、参照番号１０２は光取出しレンズ１００の側面を指す。光取出しレンズを構成する材料としては、メガネレンズに用いられている材料を挙げることができ、セイコーオプティカルプロダクツ株式会社の商品名プレステージ（屈折率：１．７４）、昭和光学株式会社の商品名ＵＬＴＩＭＡＸ  Ｖ  ＡＳ  １．７４（屈折率：１．７４）、ニコン・エシロールの商品名ＮＬ５−ＡＳ（屈折率：１．７４）といった高屈折率を有するプラスチック材料がある。また、ＨＯＹＡ株式会社製の硝材ＮＢＦＤ１１（屈折率ｎ1：１．７８）、Ｍ−ＮＢＦＤ８２（屈折率ｎ1：１．８１）、Ｍ−ＬＡＦ８１（屈折率ｎ1＝１．７３１）といった光学ガラス；ＫＴｉＯＰＯ4（屈折率ｎ1：１．７８）、ニオブ酸リチウム［ＬｉＮｂＯ3］（屈折率ｎ1：２．２３）といった無機誘電体材料を挙げることができる。
【図面の簡単な説明】
【００９９】
【図１】図１の（Ａ）は、実施例１における駆動信号の値を２．２乗した値（ｘ’≡ｘ2.2）とデューティ期間との関係を模式的に示す図であり、図１の（Ｂ）は、制御信号の値Ｘと画素の輝度ｙとの関係を模式的に示す図である。
【図２】図２の（Ａ）は、実施例２における駆動信号の値を２．２乗した値（ｘ’≡ｘ2.2）とデューティ期間との関係を模式的に示す図であり、図２の（Ｂ）は、制御信号の値Ｘと画素の輝度ｙとの関係を模式的に示す図である。
【図３】図３の（Ａ）は、実施例２の変形例における駆動信号の値を２．２乗した値（ｘ’≡ｘ2.2）とデューティ期間との関係を模式的に示す図であり、図３の（Ｂ）は、制御信号の値Ｘと画素の輝度ｙとの関係を模式的に示す図である。
【図４】図４の（Ａ）は、実施例１の変形例である実施例３における駆動信号の値を２．２乗した値（ｘ’≡ｘ2.2）とデューティ期間との関係を模式的に示す図であり、図４の（Ｂ）は、制御信号の値Ｘと画素の輝度ｙとの関係を模式的に示す図である。
【図５】図５の（Ａ）は、実施例２の変形例である実施例３における駆動信号の値を２．２乗した値（ｘ’≡ｘ2.2）とデューティ期間との関係を模式的に示す図であり、図５の（Ｂ）は、制御信号の値Ｘと画素の輝度ｙとの関係を模式的に示す図である。
【図６】図６の（Ａ）は、実施例３の変形例における駆動信号の値を２．２乗した値（ｘ’≡ｘ2.2）とデューティ期間との関係を模式的に示す図であり、図６の（Ｂ）は、制御信号の値Ｘと画素の輝度ｙとの関係を模式的に示す図である。
【図７】図７は、各実施例における使用に適したカラー液晶表示装置、面状光源装置、第１駆動回路、及び、第２駆動回路から成るカラー液晶表示装置組立体の概念図である。
【図８】図８は、カラー液晶表示装置組立体の模式的な一部断面図である。
【図９】図９の（Ａ）は、各実施例の面状光源装置における発光ダイオード等の配置、配列状態を模式的に示す図であり、図９の（Ｂ）は、各実施例の面状光源装置及びカラー液晶表示装置組立体の模式的な一部断面図である。
【図１０】図１０は、日経エレクトロニクス  ２００４年１２月２０日第８８９号の第１２８ページに開示された光取出しレンズの模式的な断面図である。
【符号の説明】
【０１００】
１０・・・カラー液晶表示装置、１１・・・表示領域、１２・・・表示領域ユニット、１３・・・液晶材料、２０・・・フロント・パネル、２１・・・第１の基板、２２・・・カラーフィルター、２３・・・オーバーコート層、２４・・・透明第１電極、２５・・・配向膜、２６・・・偏光フィルム、３０・・・リア・パネル、３１・・・第２の基板、３２・・・スイッチング素子、３４・・・透明第２電極、３５・・・配向膜、３６・・・偏光フィルム、３７・・・絶縁層、４０・・・面状光源装置、４１，４１Ｒ，４１Ｇ，４１Ｂ・・・発光ダイオード、４２・・・面状光源ユニット、４３・・・仕切り板、５１・・・筐体、５２Ａ・・・筐体の底面、５２Ｂ・・・筐体の側面、５３・・・外側フレーム、５４・・・内側フレーム、５５Ａ，５５Ｂ・・・スペーサ、５６・・・ガイド部材、５７・・・ブラケット部材、６１・・・拡散板、６２・・・拡散シート、６３・・・プリズムシート、６４・・・偏光変換シート、６５・・・反射シート、７０・・・第１駆動回路、７１・・・パルス幅変調（ＰＷＭ）信号発生回路、７２・・・デューティ比制御回路、７３・・・発光ダイオード駆動回路、７４・・・演算回路、７５・・・記憶装置（メモリ）、８０・・・第２駆動回路、８１・・・タイミングコントローラ
【図１】
2007212782.tif 000005
【図２】
2007212782.tif 000006
【図３】
2007212782.tif 000007
【図４】
2007212782.tif 000008
【図５】
2007212782.tif 000009
【図６】
2007212782.tif 000010
【図７】
2007212782.tif 000011
【図８】
2007212782.tif 000012
【図９】
2007212782.tif 000013
【図１０】
2007212782.tif 000014